【手続補正書】
【提出日】平成18年8月16日(2006.8.16)
【手続補正１】
【補正対象書類名】特許請求の範囲
【補正対象項目名】全文
【補正方法】変更
【補正の内容】
【特許請求の範囲】
【請求項１】
屋内電灯線の電流制御装置において、
主幹ブレーカと、
主幹ブレーカの出力側に接続された少なくとも１つの分岐ブレーカと、
主幹ブレーカに流れる電流を取得する電流値取得手段と、
分岐ブレーカに接続された少なくとも１つの電気機器へ運転指令を伝達する通信手段と、
これらを制御する制御手段と、
を備え、
制御手段は、
電流値取得手段からの電流値が第１定格電流値を越え、かつ第１時間を超える場合または、第２定格電流値を越える場合には、予め決められた順序で分岐ブレーカまたは主幹ブレーカを遮断させる遮断手段を有することを特徴とする屋内電灯線の電流制御装置。
【請求項２】
屋内電灯線の電流制御装置において、
主幹ブレーカと、
主幹ブレーカの出力側に接続された少なくとも１つの分岐ブレーカと、
主幹ブレーカに流れる電流を取得する電流値取得手段と、
分岐ブレーカに接続された少なくとも１つの電気機器へ運転指令を伝達する通信手段と、
これらを制御する制御手段と、
を備え、
制御手段は、
電流値取得手段からの電流値が第１定格電流値を越えるときであっても、第１時間内は分岐ブレーカ、主幹ブレーカともに遮断せずに、予め決められた電気機器を通信手段により停止させ、第２時間経過後に、先に停止した電気機器を再稼働させる再稼働手段を有することを特徴とする屋内電灯線の電流制御装置。
【請求項３】
屋内電灯線の電流制御装置において、
主幹ブレーカと、
主幹ブレーカの出力側に接続された少なくとも１つの分岐ブレーカと、
主幹ブレーカに流れる電流を取得する電流値取得手段と、
分岐ブレーカに接続された少なくとも１つの電気機器へ運転指令を伝達する通信手段と、
これらを制御する制御手段と、
を備え、
制御手段は、
電流値取得手段からの電流値が第１定格電流値を越えるときであっても、第１時間内は分岐ブレーカ、主幹ブレーカともに遮断せずに、操作者が制御手段の端末で操作を行い通信手段により電気機器の制御を行うことで停止させる手動停止手段を有することを特徴とする屋内電灯線の電流制御装置。
【請求項４】
請求項１から３のいずれか１項に記載の屋内電灯線の電流制御装置において、
第１時間は、制御手段が電気機器を停止し、電流値取得手段により電流の減少が確認できるまでの待ち時間であり、
第２時間は、他の電気機器に対して消費電流が多い機器により一時的な負荷が継続する時間であり、
第１定格電流値は、電力会社との契約電流値であり、
第２定格電流値は、第１定格電流を上回る電流値であることを特徴とする屋内電灯線の電流制御装置。
【請求項５】
請求項１から３のいずれか１項に記載の屋内電灯線の電流制御装置において、
制御手段の運転状況を記録する記録手段と、
記録手段で記録した情報を表示する表示手段と、
を備えたことを特徴とする屋内電灯線の電流制御装置。
【請求項６】
請求項１から３のいずれか１項に記載の屋内電灯線の電流制御装置において、
記録手段で記録した情報を他の装置へ送信する送信手段を備えたことを特徴とする屋内電灯線の電流制御装置。
【請求項７】
屋内電灯線の電流制御方法において、
主幹ブレーカと、
主幹ブレーカの出力側に接続された少なくとも１つの分岐ブレーカと、
主幹ブレーカに流れる電流を取得する電流値取得工程と、
分岐ブレーカに接続された少なくとも１つの電気機器へ運転指令を伝達する通信工程と、
これらを制御する制御工程と、
を備え、
制御工程は、
電流値取得工程からの電流値が第１定格電流値を越え、かつ第１時間を超える場合または、第２定格電流値を越える場合には、予め決められた順序で分岐ブレーカまたは主幹ブレーカを遮断させる遮断工程を有することを特徴とする屋内電灯線の電流制御方法。
【請求項８】
屋内電灯線の電流制御方法において、
主幹ブレーカと、
主幹ブレーカの出力側に接続された少なくとも１つの分岐ブレーカと、
主幹ブレーカに流れる電流を取得する電流値取得工程と、
分岐ブレーカに接続された少なくとも１つの電気機器へ運転指令を伝達する通信工程と、
これらを制御する制御工程と、
を備え、
制御工程は、
電流値取得工程からの電流値が第１定格電流値を越えるときであっても、第１時間内は分岐ブレーカ、主幹ブレーカともに遮断せずに、予め決められた電気機器を通信工程により停止させ、第２時間経過後に、先に停止した電気機器を再稼働させる再稼働工程を有することを特徴とする屋内電灯線の電流制御方法。
【請求項９】
屋内電灯線の電流制御方法において、
主幹ブレーカと、
主幹ブレーカの出力側に接続された少なくとも１つの分岐ブレーカと、
主幹ブレーカに流れる電流を取得する電流値取得工程と、
分岐ブレーカに接続された少なくとも１つの電気機器へ運転指令を伝達する通信工程と、
これらを制御する制御工程と、
を備え、
制御工程は、
電流値取得工程からの電流値が第１定格電流値を越えるときであっても、第１時間内は分岐ブレーカ、主幹ブレーカともに遮断せずに、操作者が制御手段の端末で操作を行い通信工程により電気機器の制御を行うことで停止させる手動停止工程を有することを特徴とする屋内電灯線の電流制御方法。
【請求項１０】
請求項７から９のいずれか１項に記載の屋内電灯線の電流制御方法において、
第１時間は、制御手段が電気機器を停止し、電流値取得手段により電流の減少が確認できるまでの待ち時間であり、
第２時間は、他の電気機器に対して消費電流が多い機器により一時的な負荷が継続する時間であり、
第１定格電流値は、電力会社との契約電流値であり、
第２定格電流値は、第１定格電流を上回る電流値であることを特徴とする屋内電灯線の電流制御方法。
【手続補正２】
【補正対象書類名】明細書
【補正対象項目名】００１９
【補正方法】変更
【補正の内容】
【００１９】
本発明に係る屋内電灯線の電流制御装置は、主幹ブレーカと、主幹ブレーカの出力側に接続された少なくとも１つの分岐ブレーカと、主幹ブレーカに流れる電流を取得する電流値取得手段と、分岐ブレーカに接続された少なくとも１つの電気機器へ運転指令を伝達する通信手段と、これらを制御する制御手段と、を備え、制御手段は、電流値取得手段からの電流値が第１定格電流値を越え、かつ第１時間を超える場合または、第２定格電流値を越える場合には、予め決められた順序で分岐ブレーカまたは主幹ブレーカを遮断させる遮断手段を有している。
【手続補正３】
【補正対象書類名】明細書
【補正対象項目名】００２０
【補正方法】変更
【補正の内容】
【００２０】
さらに、本発明に係る屋内電灯線の電流制御装置は、主幹ブレーカと、主幹ブレーカの出力側に接続された少なくとも１つの分岐ブレーカと、主幹ブレーカに流れる電流を取得する電流値取得手段と、分岐ブレーカに接続された少なくとも１つの電気機器へ運転指令を伝達する通信手段と、これらを制御する制御手段と、を備え、制御手段は、電流値取得手段からの電流値が第１定格電流値を越えるときであっても、第１時間内は分岐ブレーカ、主幹ブレーカともに遮断せずに、予め決められた電気機器を通信手段により停止させ、第２時間経過後に、先に停止した電気機器を再稼働させる再稼働手段を有している。
【手続補正４】
【補正対象書類名】明細書
【補正対象項目名】００２１
【補正方法】変更
【補正の内容】
【００２１】
さらに、本発明に係る屋内電灯線の電流制御装置は、主幹ブレーカと、主幹ブレーカの出力側に接続された少なくとも１つの分岐ブレーカと、主幹ブレーカに流れる電流を取得する電流値取得手段と、分岐ブレーカに接続された少なくとも１つの電気機器へ運転指令を伝達する通信手段と、これらを制御する制御手段と、を備え、制御手段は、電流値取得手段からの電流値が第１定格電流値を越えるときであっても、第１時間内は分岐ブレーカ、主幹ブレーカともに遮断せずに、操作者が制御手段の端末で操作を行い通信手段により電気機器の制御を行うことで停止させる手動停止手段を有している。
【手続補正５】
【補正対象書類名】明細書
【補正対象項目名】００２２
【補正方法】変更
【補正の内容】
【００２２】
本発明に係る屋内電灯線の電流制御装置において、第１時間は、制御手段が電気機器を停止し、電流値取得手段により電流の減少が確認できるまでの待ち時間であり、第２時間は、他の電気機器に対して消費電流が多い機器により一時的な負荷が継続する時間であり、第１定格電流値は、電力会社との契約電流値であり、第２定格電流値は、第１定格電流を上回る電流値である。
【手続補正６】
【補正対象書類名】明細書
【補正対象項目名】００２３
【補正方法】変更
【補正の内容】
【００２３】
本発明に係る屋内電灯線の電流制御装置は、電流値取得手段からの電流値が第１定格電流値を越えたときに、警報を発する警報手段を備えている。
【手続補正７】
【補正対象書類名】明細書
【補正対象項目名】００２４
【補正方法】変更
【補正の内容】
【００２４】
本発明に係る屋内電灯線の電流制御装置は、電流値取得手段からの電流値が第１定格電流値を越え、第１時間を超える場合、通信手段により電気機器を停止させるソフトスイッチボックスを有している。
【手続補正８】
【補正対象書類名】明細書
【補正対象項目名】００２５
【補正方法】変更
【補正の内容】
【００２５】
本発明に係る屋内電灯線の電流制御装置は、電流値取得手段からの電流値が第１定格電流値を越えたときであっても、第１所定時間内であれば自己遮断しないブレーカを有している。
【手続補正９】
【補正対象書類名】明細書
【補正対象項目名】００２６
【補正方法】変更
【補正の内容】
【００２６】
本発明に係る屋内電灯線の電流制御装置は、電流値取得手段からの電流値が第１定格電流値を越えたときであっても、第２定格電流を下回る場合であれば自己遮断しないブレーカを有している。
【手続補正１０】
【補正対象書類名】明細書
【補正対象項目名】００２７
【補正方法】変更
【補正の内容】
【００２７】
本発明に係る屋内電灯線の電流制御装置は、制御手段の運転状況を記録する記録手段と記録手段で記録した情報を表示する表示手段と記録手段で記録した情報を他の装置へ送信する送信手段とを有している。
【手続補正１１】
【補正対象書類名】明細書
【補正対象項目名】００２８
【補正方法】変更
【補正の内容】
【００２８】
本発明に係る屋内電灯線の電流制御方法は、主幹ブレーカと、主幹ブレーカの出力側に接続された少なくとも１つの分岐ブレーカと、主幹ブレーカに流れる電流を取得する電流値取得工程と、分岐ブレーカに接続された少なくとも１つの電気機器へ運転指令を伝達する通信工程と、これらを制御する制御工程と、を備え、制御工程は、電流値取得工程からの電流値が第１定格電流値を越え、第１時間を超える場合または、第２定格電流値を越える場合には、予め決められた順序で分岐ブレーカまたは主幹ブレーカを遮断させる遮断工程を有している。
【手続補正１２】
【補正対象書類名】明細書
【補正対象項目名】００２９
【補正方法】変更
【補正の内容】
【００２９】
本発明に係る屋内電灯線の電流制御方法は、主幹ブレーカと、主幹ブレーカの出力側に接続された少なくとも１つの分岐ブレーカと、主幹ブレーカに流れる電流を取得する電流値取得工程と、分岐ブレーカに接続された少なくとも１つの電気機器へ運転指令を伝達する通信工程と、これらを制御する制御工程と、を備え、制御工程は、電流値取得工程からの電流値が第１定格電流値を越えるときであっても、第１時間内は分岐ブレーカ、主幹ブレーカともに遮断せずに、予め決められた電気機器を通信工程により停止させ、第２時間経過後に、先に停止した電気機器を再稼働させる再稼働工程を有している。
【手続補正１３】
【補正対象書類名】明細書
【補正対象項目名】００３０
【補正方法】変更
【補正の内容】
【００３０】
本発明に係る屋内電灯線の電流制御方法は、主幹ブレーカと、主幹ブレーカの出力側に接続された少なくとも１つの分岐ブレーカと、主幹ブレーカに流れる電流を取得する電流値取得工程と、分岐ブレーカに接続された少なくとも１つの電気機器へ運転指令を伝達する通信工程と、これらを制御する制御工程と、を備え、制御工程は、電流値取得工程からの電流値が第１定格電流値を越えるときであっても、第１時間内は分岐ブレーカ、主幹ブレーカともに遮断せずに、操作者が制御手段の端末で操作を行い通信工程により電気機器の制御を行うことで停止させる手動停止工程を有している。
【手続補正１４】
【補正対象書類名】明細書
【補正対象項目名】００３１
【補正方法】変更
【補正の内容】
【００３１】
さらに、本発明に係る屋内電灯線の電流制御方法は、第１時間は、制御手段が電気機器を停止し、電流値取得手段により電流の減少が確認できるまでの待ち時間であり、第２時間は、他の電気機器に対して消費電流が多い機器により一時的な負荷が継続する時間であり、第１定格電流値は、電力会社との契約電流値であり、第２定格電流値は、第１定格電流を上回る電流値である。